【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
対向する頂部端面（２４）及び底部端面（２６）と、対向する前記頂部端面（２４）と前記底部端面（２６）との間に延びる第１の側面（２８Ａ）及び第２の側面（２８Ｂ）と、
前記第１の側面（２８Ａ）と前記第２の側面（２８Ｂ）とを連結し、前記頂部端面（２４）に交差してコーナ切刃（３２）を形成するコーナ表面（３０Ａ）と、
前記頂部端面（２４）上に、前記コーナ切刃（３２）に隣接して配置された切削コーナ（４０Ａ）であって、二等分線（Ｂ）を有する切削コーナ（４０Ａ）と、
前記切削コーナ（４０Ａ）に配置されたチップ制御機構（２２）であって、
前記頂部端面（２４）から突出し、前記二等分線（Ｂ）を横断する方向に、及び前記二等分線（Ｂ）の両側に長手方向に延びる突出部（４４）であって、前記突出部（４４）が、２つの対向する突出部端（４６Ａ、４６Ｂ）と、前記２つの対向する突出部端（４６Ａ、４６Ｂ）の間に延びる長尺状の表面（４８）と、を含み、前記長尺状の表面（４８）が、前記コーナ切刃（３２）から離れる方向に、前記頂部端面（２４）から上方に傾斜している、突出部（４４）と、
前記頂部端面（２４）から突出し、前記長尺状の表面（４８）から前記コーナ切刃（３２）に向かう方向に長手方向に延びる突起物隆起部（７０）を含む突起物（６８）と、を含み、
前記上方向（ＤＵ）に関して、前記突起物（６８）が前記突出部（４４）よりも低い、チップ制御機構（２２）と、を含む切削インサート（２０）。
【請求項２】
前記切削コーナ（４０Ａ）の上面視において、前記突出部（４４）が、前記二等分線（Ｂ）に垂直な方向に長手方向に延びる、請求項１に記載の切削インサート（２０）。
【請求項３】
前記突出部（４４）及び前記突起物（６８）が前記二等分線（Ｂ）の周りで鏡面対称である、請求項１又は２に記載の切削インサート（２０）。
【請求項４】
前記コーナ切刃（３２）とともに連続的な切刃（３６）を形成する、前記頂部端面（２４）と前記第１の側面（２８Ａ）及び第２の側面（２８Ｂ）それぞれとの交差部分に形成された第１の横切刃（３４Ａ）及び第２の横切刃（３４Ｂ）と、前記頂部端面（２４）上に前記切刃（３６）に沿って延びるランド（３８）と、を更に含む、請求項１〜３のいずれか一項に記載の切削インサート（２０）。
【請求項５】
前記切削コーナ（４０Ａ）の上面視において、
１つの突出部端（４６Ａ）が、前記第１の横切刃（３４Ａ）と前記二等分線（Ｂ）との間の中間領域に配置されており、
もう一方の突出部端（４６Ｂ）が、前記第２の横切刃（３４Ｂ）と前記二等分線（Ｂ）との間の中間領域にある、請求項４に記載の切削インサート（２０）。
【請求項６】
前記突起物（６８）が前記ランド（３８）まで延びていない、請求項４に記載の切削インサート（２０）。
【請求項７】
前記長尺状の表面（４８）が、長尺状の表面の最上領域（６２）を更に含み、前記長尺状の表面の最上領域（６２）は、上方向（ＤＵ）に関して、前記コーナ切刃（３２）上のコーナ切刃点（６４）よりも高い、請求項１〜６のいずれか一項に記載の切削インサート（２０）。
【請求項８】
前記突出部（４４）が前記２つの突出部端（４６Ａ、４６Ｂ）の間に延びる下降面（６６）を更に含み、前記下降面（６６）が、前記長尺状の表面（４８）から、前記コーナ切刃（３２）から離れる方向に下降する、請求項１〜７のいずれか一項に記載の切削インサート（２０）。
【請求項９】
アイランド傾斜面（８０）によって少なくとも部分的に囲まれた、上昇したアイランド上面（７８）を含む中心アイランド（７６）を更に含み、前記中心アイランド（７６）は、前記コーナ切刃（３２）の方に向けられた長尺状のノーズ部分（８２）を有し、
前記下降面（６６）は前記アイランド傾斜面（８０）まで延びる、請求項８に記載の切削インサート（２０）。
【請求項１０】
前記チップ制御機構が、前記下降面（６６）から、前記上昇したアイランド上面（７８）まで延びる長尺状のリブ（８６）を更に含む、請求項９に記載の切削インサート（２０）。
【請求項１１】
前記切削コーナ（４０Ａ）の上面視において、前記リブ（８６）が前記二等分線（Ｂ）に沿って延びる、請求項１０に記載の切削インサート（２０）。
【請求項１２】
前記突出部（４４）の長手方向の伸長範囲に垂直かつ前記突出部（４４）の長手方向の伸長範囲を通る面で切った断面視において、前記長尺状の表面（４８）が上向きに延びる凸状部（５０）を含む、請求項１〜１１のいずれか一項に記載の切削インサート（２０）。
【請求項１３】
前記突出部（４４）の長手方向の伸長範囲に沿い、かつ前記突出部（４４）の長手方向の伸長範囲を通る面で切った断面視において、前記長尺状の表面（４８）が中心直線部（５２）を含む、請求項１〜１２のいずれか一項に記載の切削インサート（２０）。
【請求項１４】
前記突出部（４４）の長手方向の伸長範囲に沿い、かつ前記突出部（４４）の長手方向の伸長範囲を通る面で切った断面視において、前記突出部端（４６Ａ、４６Ｂ）のそれぞれが、各々の端凸状部（５４）を含む、請求項１〜１３のいずれか一項に記載の切削インサート（２０）。
【請求項１５】
アイランド傾斜面（８０）によって少なくとも部分的に囲まれた、上昇したアイランド上面（７８）を含む中心アイランド（７６）を更に含み、前記中心アイランド（７６）が、前記コーナ切刃（３２）の方に向けられた長尺状のノーズ部分（８２）を有し、
前記長尺状の表面（４８）が、長尺状の表面の最上領域（６２）を更に含み、前記長尺状の表面の最上領域（６２）は、上方向（ＤＵ）に関して、前記上昇したアイランド上面（７８）上の最下中心アイランド箇所（８４）よりも低い、請求項１〜１４のいずれか一項に記載の切削インサート（２０）。
【請求項１６】
前記突起物（６８）が、２つの突起物側面（７２）を更に含み、前記２つの突起物側面（７２）の間に、前記突起物隆起部（７０）が延び、
前記突起物隆起部（７０）の長手方向の伸長範囲に垂直かつ前記突起物隆起部（７０）の長手方向の伸長範囲を通る面で切った断面視において、前記２つの突起物側面（７２）のそれぞれが、各々の突起物凹状部（７４）を含む、請求項１〜１５のいずれか一項に記載の切削インサート（２０）。
【請求項１７】
前記切削コーナ（４０Ａ）の上面視において、前記突起物隆起部（７０）が前記二等分線（Ｂ）に沿って延びる、請求項１〜１６のいずれか一項に記載の切削インサート（２０）。
【請求項１８】
前記切削コーナ（４０Ａ）の上面視において、
前記突出部（４４）に沿う第１の方向において測定した場合、前記突出部（４４）が突出部長さ（Ｌ’）を有し、
前記突起物隆起部（７０）に沿う第２の方向において測定した場合、前記突起物（６８）が突起物長さ（Ｌ”）を有し、前記第１の方向と前記第２の方向とが互いに対して垂直であり、
前記突出部長さ（Ｌ’）が前記突起物長さ（Ｌ”）よりも長い、請求項１〜１７のいずれか一項に記載の切削インサート（２０）。
【請求項１９】
前記突出部（４４）の長手方向の伸長範囲に垂直な方向に測定した場合、前記突出部（４４）が、各突出部端（４６Ａ、４６Ｂ）に配置された、最大突出部幅（Ｗ）を有する、請求項１〜１８のいずれか一項に記載の切削インサート（２０）。
【請求項２０】
前記突起物隆起部（７０）の長手方向の伸長範囲に沿い、かつ前記突起物隆起部（７０）の長手方向の伸長範囲を通る平面で切った断面視において、前記突起物隆起部（７０）が凹状に湾曲している、請求項１〜１９のいずれか一項に記載の切削インサート（２０）。